(57)【要約】【課題】　構造が簡単で部品数の少い磁気記録／再生装置のリールブレーキ組立体を提供する。【解決手段】　リールブレーキ組立体はローディング／アンローディングされるサブデッキと、サブデッキに回転自在に設けられるリールテーブルと、リールテーブルを選択的に制動させるブレーキユニットと、前記サブデッキのローディング/アンローディング時回転しつつ前記サブデッキを連動させてブレーキユニットによるリールテーブルの制動を制御するカムギアを含む。【選択図】　　　図３
2004134073.tif 000002
【特許請求の範囲】
【請求項１】
　ヘッドドラムが設けられるメインデッキ上に摺動自在に設けられるサブデッキと、
　該サブデッキに回転自在に設けられテープカセットのテープリールそれぞれを選択的に駆動させるリールテーブルと、
　前記サブデッキ上に回動自在に設けられ前記リールテーブルを選択的に制動させるブレーキユニットと、
　前記サブデッキをローディング及びアンローディングさせるために駆動モータの動力により回転しつつ前記サブデッキを連動させるカムギアをと、含み、
　前記ブレーキユニットは、前記サブデッキのローディング/アンローディング時前記カムギアに連動され前記リールテーブルに選択的に接触及び分離されることを特徴とする磁気記録／再生装置のリールブレーキ組立体。
【請求項２】
　前記ブレーキユニットは、
　前記サブデッキ上に回動自在に設けられ、前記リールテーブルに接触及び離隔される第１ブレーキと、
　該第１ブレーキを前記リールテーブルに接触加圧するバネと、
　前記第１ブレーキと同軸的に設けられ、前記第１ブレーキが前記リールテーブルから離隔される方向にはその第１ブレーキと共に回動され、逆方向には独立して回動しつつ、前記リールテーブルに接触される第２ブレーキとを含むことを特徴とする請求項１に記載の磁気記録／再生装置のリールブレーキ組立体。
【請求項３】
　前記ブレーキユニットは、前記第２ブレーキが前記リールテーブルに接触されるよう前記第２ブレーキを加圧するトーションバネをさらに含むことを特徴とする請求項２に記載の磁気記録／再生装置のリールブレーキ組立体。
【請求項４】
　前記トーションバネは、前記第２ブレーキに加圧力を提供し、前記第２ブレーキを前記リールテーブルのギア部に接触させることを特徴とする請求項３に記載の磁気記録／再生装置のリールブレーキ組立体。
【請求項５】
　前記第１ブレーキと第２ブレーキは第１及び第２ガイドピンを有し、前記各ガイドピンは前記カムギアに接触されガイドされるよう第１及び第２ブレーキの下側に突出形成されることを特徴とする請求項２に記載の磁気記録／再生装置のリールブレーキ組立体。
【請求項６】
　前記カムギアには、前記第１及び第２ガイドピンを順次にガイドするガイド溝が前記カムギアの回転方向に所定区間設けられることを特徴とする請求項５に記載の磁気記録／再生装置のリールブレーキ組立体。
【請求項７】
　前記カムギアは、前記ブレーキユニットをガイドするために上部にそのカムギアの回転方向に形成されたガイド溝を有することを特徴とする請求項１に記載の磁気記録／再生装置のリールブレーキ組立体。
【請求項８】
　前記ブレーキユニットは前記サブデッキのローディング時前記ガイド溝にガイドされ、前記サブデッキのアンローディング時前記ガイド溝から分離されるよう設けられることを特徴とする請求項７に記載の磁気記録／再生装置のリールブレーキ組立体。
【請求項９】
　ヘッドドラムに設けられたメインデッキ上に摺動自在に設けられるサブデッキと、該サブデッキに回転自在に設けられテープカセットのテープリールそれぞれを選択的に駆動させるリールテーブルと、前記サブデッキをローディング及びアンローディングさせるために駆動モータの動力によって回転しつつ、前記サブデッキを連動させるカムギアを含む磁気記録／再生装置のリールブレーキ組立体において、
　前記サブデッキのローディング/アンローディング時前記カムギアに連動され前記リールテーブルに選択的に接触及び分離されながら前記リールテーブルを選択的に制動するよう前記サブデッキに回転自在に設けられるブレーキユニットを含むことを特徴とする磁気記録／再生装置のリールブレーキ組立体。
【請求項１０】
　前記ブレーキユニットは、
　前記サブデッキ上に回動自在に設けられ、前記リールテーブルに接触及び離隔される第１ブレーキと、
　該第１ブレーキを前記リールテーブルに接触加圧するバネと、
　前記第１ブレーキと同軸的に設けられ、前記第１ブレーキが前記リールテーブルから離隔される方向にはその第１ブレーキと共に回動され、逆方向には独立して回動しつつ前記リールテーブルに接触する第２ブレーキとを含むことを特徴とする請求項９に記載の磁気記録／再生装置のリールブレーキ装置。
【請求項１１】
　前記ブレーキユニットは、前記第２ブレーキが前記リールテーブルに接触するよう前記第２ブレーキを加圧するトーションバネをさらに含むことを特徴とする請求項１０に記載の磁気記録／再生装置のリールブレーキ装置。
【請求項１２】
　前記トーションバネは前記第２ブレーキに加圧力を提供して、前記第２ブレーキを前記リールテーブルのギアに接触させることを特徴とする請求項１１に記載の磁気記録／再生装置のリールブレーキ装置。
【請求項１３】
　前記第１ブレーキと第２ブレーキは第１及び第２ガイドピンを有し、前記各ガイドピンは前記カムギアに接触されガイドされるよう第１及び第２ブレーキの下側に突出形成されることを特徴とする請求項１０に記載の磁気記録／再生装置のリールブレーキ装置。
【請求項１４】
　前記カムギアには、前記第１及び第２ガイドピンを順次にガイドするガイド溝が前記カムギアの回転方向に所定区間設けられることを特徴とする請求項１３に記載の磁気記録／再生装置のリールブレーキ装置。
【請求項１５】
　前記カムギアは、前記ブレーキユニットをガイドするために上部にそのカムギアの回転方向に形成されたガイド溝を有することを特徴とする請求項９に記載の磁気記録／再生装置のリールブレーキ装置。
【請求項１６】
　前記ブレーキユニットは、前記サブデッキのローディング時前記ガイド溝にガイドされ、前記サブデッキのアンローディング時前記ガイド溝から分離されるように設けられることを特徴とする請求項１５に記載の磁気記録／再生装置のリールブレーキ装置。
【発明の詳細な説明】
【技術分野】
【０００１】
　本発明は磁気記録／再生装置に係り、さらに詳しくはリールテーブルの回転を制御する磁気記録／再生装置のリールブレーキ装置に関する。
【背景技術】
【０００２】
　一般に、磁気記録／再生装置は磁気テープのような記録媒体に情報を記録し、記録された情報を再生する装置であって、ＶＣＲ、カムコーダなどがある。
【０００３】
　磁気記録／再生装置はヘッドドラムが回転自在に設けられるメインデッキと、該メインデッキに往復に摺動自在に設けられるサブデッキと、該サブデッキに回転自在に設けられカセットテープのテープリールを駆動させる一対のリールテーブルと、該リールテーブルの過動作を防止するためのリールブレーキ装置などを備える。
【０００４】
　前記リールブレーキ装置は前記リールテーブルが回転されていてから停止モードで慣性によってテープが引き続き解けるか巻かれる過動作を防止するために設けられる。前記ブレーキ装置は左右側それぞれのリールテーブルを停止させるための第１及び第２ブレーキを備える。このうち前記左側、すなわちサプライ側リールテーブルに対応設置される第１ブレーキは、図１に示した通り、メインデッキ１上で左右に摺動するメインスライダー２に連動して作動する。すなわちメインスライダー２は駆動モータの動力を伝達され回転しつつサブデッキをローディング/アンローディングさせるカムギア３に連動して左右に移動される。ローディング時メインスライダー２は左側に移動しつつ図２に示したように、第１ブレーキ４の接触ピン４ａ、４ｂを干渉して押し出す。すると、第１ブレーキ４はメインスライダー２に押えながらリールテーブルから離隔されることによって、カセットテープからテープが供給されるプレイ状態になる。
【０００５】
　勿論、アンローディング時はメインスライダー２が右側に移動され、第１ブレーキ４は位置復元されリールテーブルに接触されることによってリールテーブルの回転を抑える。
【０００６】
　ところが、前述した構成において前記ブレーキ装置を駆動制御するためには、メインスライダー２は左側、すなわち第１ブレーキ４を干渉できるよう十分な長さに延すべきである。このようにメインスライダー２を設計すれば、延びた長さほど大面積を占め、材料もそれほど多く必要として費用がアップする。
【０００７】
　特に、最近の記録/再生装置の小型化及び軽量化の傾向を勘案する際、メインスライダー２の長さ及び幅を最小化して設計する必要がある。
【発明の開示】
【発明が解決しようとする課題】
【０００８】
　本発明は前述したような問題点を解決するために案出されたもので、その目的は構造が簡単でありシンプルに構造が改善された磁気記録／再生装置のリールブレーキ装置を提供するところにある。
【課題を解決するための手段】
【０００９】
　前述した目的を達成するための本発明に係る磁気記録／再生装置のリールブレーキ組立体は、ヘッドドラムが設けられるメインデッキについて摺動自在に設けられるサブデッキと、該サブデッキに回転自在に設けられテープカセットのテープリールそれぞれを選択的に駆動させるリールテーブルと、該サブデッキ上に回動自在に設けられ前記リールテーブルを選択的に制動させるブレーキユニットと、前記サブデッキをローディング及びアンローディングさせるために駆動モータの動力によって回転しつつ前記サブデッキを連動させるカムギアとを含み、前記ブレーキユニットは前記サブデッキのローディング/アンローディング時前記カムギアに連動され前記リールテーブルに選択的に接触及び分離されることを特徴とする。
【００１０】
　また、前述した目的を達成するための他の側面による磁気記録／再生装置のリールブレーキ組立体は、ヘッドドラムに設けられたメインデッキ上に摺動自在に設けられるサブデッキと、該サブデッキに回転自在に設けられテープカセットのテープリールそれぞれを選択的に駆動させるリールテーブルと、前記サブデッキをローディング及びアンローディングさせるために駆動モータの動力によって回転しつつ前記サブデッキを連動させるカムギアを含む磁気記録／再生装置のリールブレーキ組立体において、前記サブデッキのローディング/アンローディング時前記カムギアに連動され前記リールテーブルに選択的に接触及び分離しつつ前記リールテーブルを選択的に制動するよう前記サブデッキに回転自在に設けられるブレーキユニットとを含むことを特徴とする。
【発明の効果】
【００１１】
　本発明の磁気記録／再生装置のリールブレーキ組立体によれば、リールブレーキがカムギアによって連動して動作される構成を有する。
【００１２】
　従って、従来のようにメインスライダーを用いてリールブレーキを動作させる必要がないため、構造が簡単でありメインスライダーを単純化することができる。
【発明を実施するための最良の形態】
【００１３】
　以下、添付した図面に基づき本発明の実施例による磁気記録／再生装置のリールブレーキ組立体を詳述する。
【実施例】
【００１４】
　図３は本発明の実施例によるリールブレーキ組立体が採用された磁気記録／再生装置の概略的な平面図である。
【００１５】
　図３を参照するに、磁気記録／再生装置のリールブレーキ組立体は、ヘッドドラム１１が設けられるメインデッキ１０と、メインデッキ１０に摺動自在に設けられるサブデッキ２０と、サブデッキ２０上でテープカセットを駆動させるための一対のリールテーブル２１、２３と、ブレーキユニット３０と、カムギア４０とを備える。
【００１６】
　メインデッキ１０にはテープをヘッドドラム１１の左右側に案内してヘッドドラム１１に巻かれたまま走行されるよう案内する一対のポールベースユニット１２、１３が設けられる。ポールベースユニット１２、１３それぞれはカムギア４０に連動してメインデッキ１０上に設けられたガイドレール１４、１５に沿って往復動する。図３はアンローディング状態を示す。勿論、メインデッキ１０上にはテープの走行をガイドするための複数のガイドポール(図示せず)などが設けられる。
【００１７】
　また、メインデッキ１０にはポールベースユニット１２、１３の往復動及びサブデッキ２０のローディング/アンローディングのための動力を提供するための駆動モータ１６が設けられる。駆動モータ１６の動力は複数の動力伝達ギア１７、１８を通してカムギア４０に伝達される。
【００１８】
　サブデッキ２０はカムギア４０の回転に連動してメインデッキ１０上でＡ方向にローディングされたり、逆方向にアンローディングされる。サブデッキ２０にはテープカセットのテープリールを駆動させるための一対のリールテーブル２１、２３が設けられる。ここで、左側のリールテーブル２１は巻かれたテープを供給する箇所であって、通常サプライリール(供給リール)と称する。そして、右側のリールテーブル２３はサプライリールから供給されるテープを巻き付く箇所であって、通常テイクアップリール(巻取りリール)と称する。各リールテーブル２１、２３はメインデッキ１０に設けられたキャプスタンモータ１９から動力を伝達され駆動される。
【００１９】
　ブレーキユニット３０はサブデッキ２０上に回動自在に設けられリールテーブル２１の回転を選択的に制動させる。このようなブレーキユニット３０は第１ブレーキ３１と、第２ブレーキ３３と、コイルバネ３５及びトーションバネ３７を備える。本発明の実施例においては、ブレーキユニット３０は図４に示した通り、サブデッキ２０の上部に設けられるリールカバー５０に支持される。すなわち第１ブレーキ３１はリールカバー５０に回動自在に設けられ、回動時一端がリールテーブル２１に接触及び分離される。コイルバネ３５は第１ブレーキ３１の他端とリールカバー５０に連結され、第１ブレーキ３１をリールテーブル２１に接触加圧する。第２ブレーキ３３は第１ブレーキ３１と同軸的に設けられ回動され、回動時リールテーブル２１のギア歯２１ａに選択的に接触及び分離される。第２ブレーキ３３と第１ブレーキ３１との間にはトーションバネ３７が設けられる。トーションバネ３７は第２ブレーキ３３がギア歯２１ａに接触されるよう弾性加圧する。ここで、リールカバー５０には残りリールテーブル２３の回転を制動するブレーキユニット７０がさらに設けられている。このブレーキユニット７０は後述するメインスライダー８０に動作される通常のブレーキ装置であって、本発明の要旨とは無関係なので詳しい説明は省く。
【００２０】
　一方、ブレーキユニット３０はカムギア４０に連動されるもので、第１及び第２ブレーキ３１、３３それぞれは下部に突出形成された第１及び第２ガイドピン３１ａ、３３ａを有する。また、サブデッキ２０には第１及び第２ガイドピン３１ａ、３３ａが通過されたまま移動できるようガイド穴(図示せず)が形成される。
【００２１】
　カムギア４０はメインデッキ１０に回転自在に設けられる。このカムギア４０は駆動モータ１６の動力を伝達され回転され、回転時ポールベースユニット１２、１３を往復動させるギア歯を有する。また、カムギア４０はメインデッキ１０上で左右に往復動自在なメインスライダー８０をガイドして往復動させるよう下部に所定形状の案内溝４１が形成される。
【００２２】
　また、カムギア４０の上部にはブレーキユニット３０を連動させるためのガイド溝４３が形成される。ガイド溝４３はカムギア４０の円周方向に所定長さで形成され、カムギア４０の回転中心から長さが変るよう形成される。このようなガイド溝４３には第１及び第２ガイドピン３１ａ、３３ａが嵌め込まれてカムガイドしつつ第１及び第２ブレーキ３１、３３を連動させる。すなわちカムギア４０が回転しつつサブデッキ２０がＡ方向にローディングされる際、第１及び第２ガイドピン３１ａ、３３ａはガイド溝４３の上部に自然に案内されてガイドされる。
【００２３】
　ガイド溝４３は第１ガイドピン３１ａをガイドするための湾曲型の第１ガイド部４３ａと、第１ガイド部４３ａから突出されるよう、すなわちカムギア４０の回転中心から遠ざかるよう突出した第２ガイド部４３ｂを有する。第２ガイド部４３ｂは第２ガイドピン３３ａをガイドして連動させるためのものである。
【００２４】
　前述した構成を有する本発明の実施例による磁気記録／再生装置のリールブレーキ組立体の動作を説明すれば次の通りである。
【００２５】
　まず、図３の状態においてサブデッキ２０にテープカセット(図示せず)を装着すれば、サブデッキ２０は駆動モータ１６の駆動によってＡ方向にローディングされる。この際、第１及び第２ブレーキ３１、３３がリールテーブル２１に接触されている状態である。カムギアはＢ方向に回転しつつサブデッキ２０をローディングさせると同時にポールベースユニット１２、１３を連動させ移動させる。
【００２６】
　このようにサブデッキ２０が図５に示した通り完全にローディングされれば、カムギア４０は独立して所定角度さらに回転される。勿論、この際もポールベースユニット１２、１３はヘッドドラム１１の左右に移動してテープを支持した状態である。そして、メインスライダー８０もカムギア４０の案内溝４１に案内され左側に移動される。
【００２７】
　最後に、サブデッキ２０がＡ方向に移動済みの状態では第１及び第２ブレーキ３１、３３のガイドピン３１ａ、３３ａはカムギア４０のガイド溝４３の上部に位置する。
【００２８】
　前述した状態で、カムギア４０がＢ方向に回転されれば、第１ガイドピン３１ａは第１ガイド部４３ａに案内しつつ第１ブレーキ３１を回動させる。そして、第２ガイドピン３３ａは第２ガイド部４３ｂに案内され第２ブレーキ３３を回動させる。すなわち、第１及び第２ブレーキ３１、３３がリールテーブル２１から離隔される。従って、リールテーブル２１は自由自在に回転できる状態になり、キャプスタンモータ１９の駆動によって回転駆動自在な状態になる。
【００２９】
　勿論、アンローディング時は、カムギア４０はローディング時の逆方向に回転される。従って、第１及び第２ガイドピン３１ａ、３３ａはガイド溝４３から分離される。従って、第１及び第２ブレーキ３１、３３はリールテーブル２１に再び接触される。そして、サブデッキ２０は図３に示したような状態に移動される。
【００３０】
　以上説明した通り、ブレーキユニット３０はカムギア４０に連動して動作する。従って、従来のようにメインスライダー８０を左側に移動させブレーキユニットを作動させる必要がないため、メインスライダー８０の長さを縮められる。従って、メインスライダー８０の平面積を小さくすることができて材料を低減し、省スペース化を実現できる利点がある。
【００３１】
　一方、本発明の実施例ではブレーキユニット３０がリールカバー５０に支持されたことを例として説明したが、これは例示に過ぎない。すなわち、請求の範囲を通して請求した通り、ブレーキユニット３０はサブデッキ２０の上部に設け、サブデッキ２０に直接に支持でき、リールカバー５０に支持することもできる。
【産業上の利用可能性】
【００３２】
　磁気テープのような記録媒体に情報を記録し、記録された情報を再生する映像撮影装置、すなわちＶＣＲ、カムコーダなどに適用できる。
【図面の簡単な説明】
【００３３】
【図１】従来の磁気記録／再生装置のリールブレーキ 組立体を示す概略的な平面図である。
【図２】従来の磁気記録／再生装置のリールブレーキ組立体を示す概略的な平面図である。
【図３】本発明の実施例によるリールブレーキ組立体を組込んだ磁気記録／再生装置のサブデッキのローディング前の概略的な平面図である。
【図４】ブレーキユニットの斜視図である。
【図５】本発明の実施例によるリールブレーキ組立体を組込んだ磁気記録／再生装置のサブデッキのローディング後の概略的な平面図である。
【符号の説明】
【００３４】
１０　　メインデッキ
１１　　ヘッドドラム
１２、１３　ポールベースユニット
１４、１５　ガイドレール
１６　　駆動モータ
１７、１８　動力伝達ギア
１９　　キャプスタンモータ
２０　　サブデッキ
２１、２３　リールテーブル
２１ａ　ギア歯
３０　　ブレーキユニット
３１　　第１ブレーキ
３１ａ　第１ガイドピン
３３　　第２ブレーキ
３３ａ　第２ガイドピン
３５　　コイルバネ
３７　　トーションバネ
４０　　カムギア
４１　　案内溝
４３　　ガイド溝
４３ａ　第１ガイド部
４３ｂ　第２ガイド部
７０　　ブレーキユニット
８０　　メインスライダー
【図１】
2004134073.tif 000003
【図２】
2004134073.tif 000004
【図３】
2004134073.tif 000005
【図４】
2004134073.tif 000006
【図５】
2004134073.tif 000007